(57)【特許請求の範囲】
【請求項１】
本体と蓋とが、それぞれの外周の一辺において連結部で連結され、前記連結部の反対側の外周の一辺が粘着テープによって封緘される可撓性容器であって、
前記蓋の外周かつ、前記連結部の反対側の一辺に設けられている蓋側フランジと、
前記本体の外周かつ、前記連結部の反対側の一辺に設けられている本体側フランジとを備え、
前記蓋側フランジの両端部間の距離および前記本体側フランジの両端部間の距離は、それぞれのフランジが設けられている外周の一辺の長さより短く、
それぞれのフランジの少なくとも一方の端部は、外周の一辺の端部より内側の位置から突出するように形成され、
粘着テープで封緘した場合、それぞれのフランジの端部には、前記粘着テープの粘着面が谷折りに接着された谷折部が形成され、
前記粘着テープは、前記谷折部を摘まんで剥離できる、可撓性容器。
【請求項２】
前記蓋側フランジの端部周縁に設けられている蓋側係着部と、
前記蓋と前記本体とを重ねたときに、前記蓋側係着部と係着する位置に設けられている本体側係着部とをさらに備える、請求項１に記載の可撓性容器。
【発明の詳細な説明】
【技術分野】
【０００１】
本発明は可撓性容器に関し、特に、本体と蓋とが、それぞれの外周の一辺において連結されている可撓性容器に関するものである。
【背景技術】
【０００２】
従来の可撓性容器として、たとえば、特許文献１の卵容器が提案されている。図５および図６は、特許文献１に記載された卵容器である従来の可撓性容器の構成を示す図である。図５に示すように、従来の可撓性容器は、身部分１０１と、蓋部分１０２と、これら二つの部分を連結する屈曲自在な連結部分１０３とからなり、合成樹脂シートを真空成型またはブロー成型して一体に成型したものであり、身部分１０１および蓋部分１０２の外周かつ、連結部分１０３の反対側の一辺には、周縁部１０５が設けられている。
【０００３】
図５に示すように、従来の可撓性容器を封緘するには、身部分１０１に形成されている凹部に卵Ｅを入れたのち、連結部分１０３を軸として蓋部分１０２を回動させ、図６に示すように、身部分１０１の上に蓋部分１０２が折り重なった状態にする。そして、重なり合った周縁部１０５に粘着性テープ１０６を二つ折りに貼り付けて封緘する。このとき、粘着性テープ１０６の端部１６１を周縁部１０５より突出するように貼り付ける。
【０００４】
このようにして封緘された従来の可撓性容器を開封して卵Ｅを取り出す場合には、周縁部１０５から粘着性テープ１０６の端部１６１がはみ出しているので、このはみ出した端部１６１を摘んで引っ張ることにより、粘着性テープ１０６を剥離して開封することができる。
【先行技術文献】
【特許文献】
【０００５】
【特許文献１】特開平１０−３１６１８８号公報
【発明の概要】
【発明が解決しようとする課題】
【０００６】
特許文献１に記載されている卵容器のような従来の可撓性容器では、開封するときに粘着性テープ１０６を剥離し易くするために、粘着性テープ１０６の端部１６１を周縁部１０５より突出するように貼り付けているので、貼り付ける粘着性テープ１０６の長さは、周縁部１０５の両端部間の距離よりも長くしなければならない。
【０００７】
従来の可撓性容器の周縁部１０５は、身部分１０１および蓋部分１０２の外周かつ、連結部分１０３の反対側の一辺の長さと同じであるため、可撓性容器一つを封緘するには、可撓性容器の外周の一辺の長さ以上の長さの粘着性テープ１０６を使わなければならないという課題があった。特に、卵用の可撓性容器は毎日大量に封緘されているため、膨大な量のテープが消費されている。
【０００８】
本発明は、上記課題を解決するもので、その目的は、封緘するために必要なテープの量を減らして省資源化を図ることができる可撓性容器を提供することである。
【課題を解決するための手段】
【０００９】
上述の課題を解決するために、本体と蓋とが、それぞれの外周の一辺において連結部で連結され、前記連結部の反対側の外周の一辺が粘着テープによって封緘される可撓性容器であって、前記蓋の外周かつ、前記連結部の反対側の一辺に設けられている蓋側フランジと、前記本体の外周かつ、前記連結部の反対側の一辺に設けられている本体側フランジとを備え、前記蓋側フランジの両端部間の距離および前記本体側フランジの両端部間の距離は、それぞれのフランジが設けられている外周の一辺の長さより短く、それぞれのフランジの少なくとも一方の端部は、外周の一辺の端部より内側の位置から突出するように形成され、粘着テープで封緘した場合、それぞれのフランジの端部には、前記粘着テープの粘着面が谷折りに接着された谷折部が形成され、前記粘着テープは、前記谷折部を摘まんで剥離できる、可撓性容器を提供する。
【発明の効果】
【００１０】
本発明に係る可撓性容器であれば、従来の可撓性容器に比べて、封緘するために必要なテープの量を減らして省資源化を図ることができる。
【図面の簡単な説明】
【００１１】
【図１】本発明の実施の形態に係る可撓性容器の構成を示す斜視図である。
【図２】本発明の実施の形態に係る可撓性容器の構成を示す平面図である。
【図３】本発明の実施の形態に係る可撓性容器が封緘された状態を示す斜視図である。
【図４】本発明の実施の形態に係る可撓性容器が封緘された状態を示す平面図である。
【図５】従来の可撓性容器の構成を示す斜視図である。
【図６】従来の可撓性容器が封緘された状態を示す平面図である。
【発明を実施するための形態】
【００１４】
第１の発明は、本体と蓋とが、それぞれの外周の一辺において連結部で連結され、前記連結部の反対側の外周の一辺が粘着テープによって封緘される可撓性容器であって、前記蓋の外周かつ、前記連結部の反対側の一辺に設けられている蓋側フランジと、前記本体の外周かつ、前記連結部の反対側の一辺に設けられている本体側フランジとを備え、前記蓋側フランジの両端部間の距離および前記本体側フランジの両端部間の距離は、それぞれのフランジが設けられている外周の一辺の長さより短く、それぞれのフランジの少なくとも一方の端部は、外周の一辺の端部より内側の位置から突出するように形成され、粘着テープで封緘した場合、それぞれのフランジの端部には、前記粘着テープの粘着面が谷折りに接着された谷折部が形成され、前記粘着テープは、前記谷折部を摘まんで剥離できる、可撓性容器である。
【００１５】
第１の発明によれば、従来の可撓性容器に比べて、封緘するために必要なテープの量を減らして省資源化を図ることができる。
【００１６】
第２の発明は、特に第１の発明において、蓋側フランジの端部周縁に設けられている蓋側係着部と、蓋と本体とを重ねたときに、蓋側係着部と係着する位置に設けられている本体側係着部とをさらに備える、可撓性容器である。
【００１７】
「係着」とは、蓋の少なくとも一部が本体に対して直接的、または間接的に接触することにより関係させ、蓋と本体との相対的な位置関係が一定に保たれている状態を意味する。したがって、蓋側係着部と本体側係着部とを係着させると、蓋と本体とが閉じられた状態となる。
【００１８】
第２の発明によれば、フランジの端部周縁では、係着部が封緘する力を補うので、封緘するために必要なテープの量を減らしても強固な封緘が行える。
【００１９】
（実施の形態）
以下、本発明の実施の形態に係る可撓性容器として、合成樹脂シートを真空成型またはブロー成型等によって一体に成型した卵用の可撓性容器について説明する。本実施の形態にかかる可撓性容器は、図１から図４に示すように、封緘される前は、本体１と、蓋２と、連結部３と、本体１および蓋２に設けられている係着部４と、フランジ５とを備え、封緘された後は、さらに粘着テープ６を備えている。
【００２０】
図１は、封緘される前の可撓性容器の斜視図であり、図２は、封緘される前の可撓性容器の平面図である。また、図３は、封緘された後の可撓性容器の斜視図であり、図４は、封緘された後の可撓性容器の平面図である。
【００２１】
はじめに、本体１について説明する。本体１は、外周が略四角形に形成されており、卵Ｅを収容するための卵収容座が設けられた可撓性容器の本体部分である。卵収容座は卵Ｅの形状に沿った構造をしており、本体１には、卵収容座が１０箇所設けられている。卵Ｅは長軸を鉛直にした状態で、本体１に設けられた卵収容座に収容される。図１および図２は、本体１に設けられている１０箇所の卵収容座に１０個の卵Ｅが収容されている状態の可撓性容器を示している。
【００２２】
次に、蓋２について説明する。蓋２は、本体１と同様に外周が略四角形に形成されており、図３に示すように、本体１の外周部分と蓋２の外周部分とが重ねられることで可撓性容器が閉じられる、可撓性容器の蓋部分である。本実施の形態にかかる蓋２は、上面にラベルを貼り付けるための平坦な面が形成されている、いわゆる「フラットパック」と呼ばれる可撓性容器である。なお、蓋２は上面にラベルを貼り付けるための平坦な面が形成されているものに限られず、本体１に設けられている卵収容座のような卵Ｅの形状に沿った構造が形成されていてもよい。そのような形状の蓋を備える卵用の可撓性容器は「角付きパック」と呼ばれている。
【００２３】
次に、連結部３について説明する。連結部３は、本体１と蓋２のそれぞれの外周の一辺において、本体１と蓋２とを連結している。連結部３は、蓋２が連結部３を軸として回動するような屈曲性を備えた蝶番構造に形成されている。また、本実施の形態では、合成樹脂シートを真空成型またはブロー成型等によって、本体１と蓋２と連結部３を一体に成型しているが、たとえば、別々に成型された本体１と蓋２とが、それぞれの外周の一辺において、ヒートシーラーなどによって熱融着された部分を連結部としてもよいし、連結部３が、ミシン目によって切り離し可能な構造であってもよい。さらに、本体１と蓋２とを連結する粘着テープや両面テープ等であってもよい。
【００２４】
次に、フランジ５について説明する。図１および図２に示すように、本実施の形態では、蓋２の外周かつ、連結部３の反対側の一辺に設けられている蓋側フランジ５と、本体１の外周かつ、連結部３の反対側の一辺に設けられている本体側フランジ５が存在する。
【００２５】
蓋側フランジ５の両端部間の距離Ａは、蓋側フランジ５が設けられている外周の一辺の長さＢより短く形成されており、本体側フランジ５の両端部間の距離Ｃは、蓋側フランジ５の両端部間の距離Ａと同じに形成されており、蓋２と本体１とを重ねたときに、蓋側フランジ５の両端部と本体側フランジ５の両端部とが重なるように、それぞれのフランジ５が形成されている。
【００２６】
このように、それぞれのフランジ５の両端部間の距離Ａ，Ｃを、フランジ５が設けられている外周の一辺の長さＢよりも短く形成することで、図３および図４に示すように、可撓性容器一つを封緘するために必要な粘着テープ６の量を、図６に示す従来の可撓性容器一つを封緘するために必要な粘着性テープ１０６の量に比べて減らすことができる。
【００２７】
また、本実施の形態では、本体１が有する複数の卵収容座のうち、本体側フランジ５の端に存在する卵収容座の中心から可撓性容器の端までの距離ｄと、本体側フランジ５の端部から可撓性容器の端までの距離Ｄとが同じになるように、蓋側フランジ５および本体側フランジ５の端部の位置が決められている。
【００２８】
卵収容座の中心から可撓性容器の端までの距離ｄと、本体側フランジ５の端部から可撓性容器の端までの距離Ｄとを同じにするか、または距離ｄよりも距離Ｄを短くすることで、蓋側フランジ５と本体側フランジ５とが重なった部分を粘着テープ６で封緘したときに、連結部３と粘着テープ６とが協働して可撓性容器の端の部分の変形を押さえるように作用する。そうすると、可撓性容器の端が大きく開くことがなくなり、たとえば、消費者が小売店のラックから可撓性容器を取り出すときに振ってしまうような、可撓性容器からこぼれ落ちる方向への加速度が卵Ｅに加わる状況であっても、卵Ｅが卵収容座からこぼれ落ちることがなくなる。
【００２９】
なお、「卵収容座の中心から可撓性容器の端までの距離ｄと、本体側フランジ５の端部から可撓性容器の端までの距離Ｄとが同じ」とは、上記の作用効果が生じる程度に、それぞれの距離が同じであることを意味し、それぞれの距離が完全に一致しなくてもよい。また、距離ｄよりも距離Ｄを短くするほど、可撓性容器の端の部分の変形を押さえることができる。
【００３０】
本実施の形態では、蓋側フランジ５と本体側フランジ５のそれぞれの両端部が、可撓性容器の端から距離Ｄだけ離れた位置に形成されているが、これに限られず、たとえば、それぞれの片側の端部のみ可撓性容器の端から距離Ｄだけ離れた位置に形成し、反対側の端部は可撓性容器の端と同じ位置にしてもよい。この場合、本体側フランジ５の両端部間の距離は図２に二点差線で示したフランジ５の長さ（Ｃ＋Ｄ）となり、蓋側フランジ５の両端部間の距離も図２に二点差線で示したフランジ５の長さ（Ａ＋Ｄ）となる。このときも、蓋２と本体１とを重ねたときに、蓋側フランジ５の両端部と本体側フランジ５の両端部とが重なるように形成されている。
【００３１】
本実施の形態では、蓋側フランジ５および本体側フランジ５は、本体１および蓋２の外周の一辺に沿ってまっすぐに延びる帯状に形成されているが、これに限られず、たとえば、一部に切欠が設けられていてもよいし、波形に形状が変化していてもよい。
【００３２】
次に、係着部４について説明する。本実施の形態では、蓋側フランジ５の端部周縁に設けられている蓋側係着部４と、蓋２と本体１とを重ねたときに、蓋側係着部４と係着する位置に設けられている本体側係着部４が存在する。
【００３３】
蓋側係着部４は、図１に示すように、可撓性容器が開いている状態のときに凸構造となるように蓋２に形成されている。また、本体側係着部４は、蓋側係着部４に対応する位置で、蓋側係着部４と係着することができる凹構造となるように本体１に形成されている。
【００３４】
係着部４は、本体１と蓋２とを封緘する力を補うためのものであり、本実施の形態では、蓋側に２箇所、本体側に２箇所設けられている。このようにフランジ５の端部周縁に係着部４を設けることで、フランジ５に貼り付けられている粘着テープ６が可撓性容器を封緘する力を補うことができる。係着部４が設けられる位置は、図１および図２に示す位置に限られず、たとえば、本体１および蓋２のそれぞれの外周において、連結部３およびフランジ５が設けられていない側に係着部４を設けてもよいし、外周の内側である卵収容座の縁部分等に設けてもよい。
【００３５】
また、係着部４は、２箇所より多く設けてもよく、数を増やすことで粘着テープ６が封緘する力をより補うことができる。さらに、蓋側係着部４と本体側係着部４とを単なる凹凸構造でなく、たとえば、くさび型の凹凸が噛み合う構造にすれば、さらに封緘する力を強く補うことができる。
【００３６】
なお、係着部４は粘着テープ６が可撓性容器を封緘する力を補うことができればよいので、両面テープなどで封緘する力を補うようにしても良い。この場合は、蓋２および本体１に凹凸構造などを設ける必要がなく、蓋２および本体１のそれぞれに対して両面テープなどの封緘する力を補う部材が張り付く部分が、蓋側係着部４および本体側係着部４となる。
【００３７】
また、図２に二点差線で示したように、フランジ５の片側の端部が可撓性容器の端と同じ位置に形成されている場合は係着部４を形成せずに、反対側の端部周縁にのみ係着部４を形成するようにしてもよい。
【００３８】
次に、粘着テープ６について説明する。粘着テープ６は、図３および図４に示すように、重なり合った蓋側フランジ５と本体側フランジ５とを、それぞれのフランジに沿って包み込むように封緘するための封緘用テープである。本実施の形態において、粘着テープ６で可撓性容器を封緘する場合は、本体１に形成されている卵収容座に卵Ｅを入れたのち、連結部３を軸として蓋２を回動させ、図３および図４に示すように、本体１の上に蓋２が折り重なった状態にする。そして、粘着テープ６は、封緘装置によって、一対の押圧ローラーで二つ折りにされながら、重なり合った蓋側フランジ５および本体側フランジ５に沿って包み込むように封緘する。封緘が完了すると、粘着テープ６はカットされる。カットされた粘着テープ６の長さは、本実施の形態では、フランジ５が設けられている本体１および蓋２の外周の一辺よりも短くなる。
【００３９】
また、粘着テープ６は、粘着面が谷折りに接着された谷折部６１を有する。谷折部６１は粘着面同士が強固に接着されるため、蓋側フランジ５および本体側フランジ５の両端部における封緘する力を補うことができる。さらに、谷折部６１が可撓性容器の端からはみ出さない長さにすることで、谷折部６１が他の可撓性容器等に接触して剥離されるという危険性を低くすることもできる。
【００４０】
本実施の形態では、二つ折りにして封緘する粘着テープ６を用いているが、これに限られず、たとえば蓋側フランジ５と、本体側フランジ５との間に両面テープを挟み込むように封緘してもよい。
【００４１】
また、本実施の形態では、本体１に１０箇所の卵収容座が形成されている１０個詰めの卵用の略四角形の可撓性容器について説明を行ったが、これに限られず、たとえば卵用の可撓性容器であれば、４個詰めや６個詰め、８個詰めなどにも適用することができるし、卵以外の食品や、食品以外のものを収容する可撓性容器にも適用することができる。
【００４２】
なお、本実施の形態において、封緘する力を補う構成が示されているが、これらがなくとも、従来の可撓性容器に比べて、封緘するために必要なテープの量を減らして省資源化を図るという本発明の目的を達成することができる。また、封緘する力を補う構成を加えることで、より確実に可撓性容器を封緘することができるという効果を奏する。
【００４３】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００４４】
本発明は、可撓性容器を封緘するために必要なテープの量を減らせるため、特に大量の可撓性容器を封緘する場合の省資源化およびコストダウンに有効に利用される。
【符号の説明】
【００４５】
１  本体
２  蓋
３  連結部
４  係着部
５  フランジ
６  粘着テープ
６１  谷折部
１０１  身部分
１０２  蓋部分
１０３  連結部分
１０５  周縁部
１０６  粘着性テープ
１６１  端部
Ｅ  卵
【要約】
【課題】封緘するために必要なテープの量を減らして省資源化を図ることができる可撓性容器を提供すること。
【解決手段】本体１と蓋２とが、それぞれの外周の一辺において連結部３で連結されている可撓性容器であって、蓋２の外周かつ、連結部３の反対側の一辺に設けられている蓋側フランジ５と、本体１の外周かつ、連結部３の反対側の一辺に設けられている本体側フランジ５とを備え、蓋側フランジ５の両端部間の距離Ａおよび本体側フランジ５の両端部間の距離Ｃは、それぞれのフランジ５が設けられている外周の一辺の長さＢより短い、可撓性容器を提供する。本発明に係る可撓性容器であれば、従来の可撓性容器に比べて、封緘するために必要なテープの量を減らして省資源化を図ることができる。
【選択図】図２【図１】
0005874795.tif 000002
【図２】
0005874795.tif 000003
【図３】
0005874795.tif 000004
【図４】
0005874795.tif 000005
【図５】
0005874795.tif 000006
【図６】
0005874795.tif 000007